(57)【要約】【課題】   複数の表示部材を備える表示装置に関し、表示情報の情報量の増加，表示方法の多様化及び表示装置の省スペース化に対応し、表示面の有効活用を可能とする表示装置を提供する。【解決手段】  表示装置は、第一表示部材と第二表示部材とを隣接させて設けてなる表示装置であって、前記第一表示部材は、表示領域の周縁部に非表示領域を備える電子式表示素子であり、前記第二表示部材は、少なくともその一部が前記非表示領域上に重なるように設けられる。【選択図】図１
2005316066.tif 000002
【特許請求の範囲】
【請求項１】
第一表示部材と第二表示部材とを隣接させて設けてなる表示装置であって、
前記第一表示部材は、表示領域の周縁部に非表示領域を備える電子式表示素子であり、
前記第二表示部材は、少なくともその一部が前記非表示領域上に重なるように設けられることを特徴とする表示装置。
【請求項２】
前記第二表示部材は、基板と光源と前記光源を収納する収納部とからなることを特徴とする請求項１に記載の表示装置。
【請求項３】
前記第一表示部材は、複数設けられ、
前記第二表示部材は、隣り合う前記第一表示部材の対向する双方の非表示領域上に重なるように設けられることを特徴とする請求項１に記載の表示装置。
【請求項４】
前記第一表示部材は、蛍光表示管であることを特徴とする請求項１に記載の表示装置。
【請求項５】
前記第一表示部材と前記第二表示部材とはケース内に収納され、
前記第二表示部材は、前記第一表示部材の前記非表示領域上に重なるように前記ケースに配設されることを特徴とする請求項１に記載の表示装置。
【発明の詳細な説明】
【技術分野】
【０００１】
本発明は、例えば、車両の走行速度，エンジンの回転数や各種警報等の車両状態情報を表示する装置に関するものである。
【背景技術】
【０００２】
このような表示装置は、例えば、特許文献１に開示されている。かかる車両用表示装置は、配線基板上にデジタル表示パネルである蛍光表示管（以下、ＶＦＤとする）を備え、ＶＦＤの配置された基板上にランプハウジングを設けたものである。この種の車両用表示装置は、セグメントやドットによる数字表示やバー表示等の意匠を用いて、走行速度，エンジンの回転数や燃料残量値を表示するＶＦＤや、ランプ等の光源の点灯によってウォーニング表示等を行う警告灯を用いるコンビネーションメータとして利用されている。
【特許文献１】特開平１１−１１９６９１号公報
【発明の開示】
【発明が解決しようとする課題】
【０００３】
以上のような構成の表示装置に用いられるＶＦＤは、カソード電極から出る電子がグリッド電極で制御されアノード電極にある蛍光体に衝突することで発光する。このグリッド電極は、金属メッシュとなっており、このグリッド電極から延長成型される脚部が支持基板の周縁部にてグリッド電極を支持する構造となっている。そのため、その脚部の設置スペースが表示装置の表示面においてデッドスペースとなっている。特許文献１に開示される発明においても、ＶＦＤの両側にランプハウジングを近接配置したとしてもＶＦＤパネルの表示面１６の周縁には何らの表示もできない非表示領域がある。例えば、縦４０〜６０ｍｍ横１００〜２００ｍｍのＶＦＤパネルにおいては、その左右両端の非表示領域は１４〜１８ｍｍの幅でデッドスペースとなる。ＶＦＤを二つ並べて表示する場合には、一方のＶＦＤの表示領域と他方のＶＦＤの表示領域との間が３０〜４０ｍｍ程の幅でデッドスペースとなる。ＶＦＤに限らず、デジタル表示パネルは、情報を表示することが可能な表示領域の周縁に配線の引き回しスペースや素子を収納する基板と封止板との接合面が設けられ、その部位が非表示領域となっており、表示装置全体における表示面において、何の情報も提示できないデッドスペースとなっていた。
【０００４】
また、近年車両に搭載する表示装置においては、表示する情報量の増加や表示方法の多様化が進んでいることに加えて、表示装置自体の省スペース化が求められており、限られたスペースの中で、表示する情報をいかにして増やすかが課題となっている。
【０００５】
本発明は、以上のような問題に鑑み、複数の表示部材を備える表示装置において、表示面の有効活用を可能とする表示装置を提供することを目的とする。
【課題を解決するための手段】
【０００６】
本発明は、前記課題を解決するために、第一表示部材と第二表示部材とを隣接させて設けてなる表示装置であって、前記第一表示部材は、表示領域の周縁部に非表示領域を備える電子式表示素子であり、前記第二表示部材は、少なくともその一部が前記非表示領域上に重なるように設けられる。
【０００７】
本発明は、請求項２に記載のように、前記第二表示部材は、基板と光源と前記光源を収納する収納部とからなる。
【０００８】
本発明は、請求項３に記載のように、前記第一表示部材は、複数設けられ、前記第二表示部材は、隣り合う前記第一表示部材の対向する双方の非表示領域上に重なるように設けられる。
【０００９】
本発明は、請求項４に記載のように、前記第一表示部材は、蛍光表示管である。
【００１０】
本発明は、請求項５に記載のように、前記第一表示部材と前記第二表示部材とはケース内に収納され、前記第二表示部材は、前記第一表示部材の前記非表示領域上に重なるように前記ケースに配設される。
【発明の効果】
【００１１】
本発明は、複数の表示部材を備える表示装置に関し、表示面の有効活用を可能とする表示装置を提供する。
【発明を実施するための最良の形態】
【００１２】
以下、添付図面に基づいて、本発明の実施形態を説明する。
【００１３】
図１から図３は、本発明の実施形態を示す図である。
【００１４】
表示装置１は、ケース２内に第一の主表示部材（第一表示部材）３と、第二の主表示部材（第一表示部材）４と、副表示部材（第二表示部材）５と、第一の主表示部材３，第二の主表示部材４及び副表示部材５と電気的に接続する配線基板（以下、メイン基板とする）６と、を設け、ケース２前面の開口縁部７には見返し板８と、表示板９と、前面カバー１０を設けてなる。
【００１５】
ケース２は、合成樹脂からなり、車両の運転席前方や運転席と助手席の間等のインストルメントパネル内に設けられる。
【００１６】
第一の主表示部材３及び第二の主表示部材４は、緑色発光のＶＦＤであり、ＶＦＤ基板１１上に第一のＶＦＤパネル１２及び第二のＶＦＤパネル１３を設けてなる。ＶＦＤパネル１２，１３は、表示領域１４とその周縁に非表示領域１５を備える。表示領域１４においては、セグメント表示やバー表示によって、車速，エンジンの回転数，走行距離や燃料の残量値などが表示される。表示領域１４上には、ピンク色のアクリルガラスからなるフィルター（図示しない）が設けられており、緑色の発光色はこのフィルターによって白色に変換され、表示面１６では白色で表示される。車両の横幅方向１７に横長に設置されるＶＦＤパネル１２，１３においては、グリッド電極の脚部の設置スペース，発光素子を収納する支持基板と封止板の接合面や配線の引きまわし等により、左右両側の縦の非表示領域１５aが上下両側の横の非表示領域１５ｂに比較して幅広く形成されている。第一の主表示部材３と第二の主表示部材４とを近接して配置することで、第一の主表示部材３と第二の主表示部材４との間に副表示部材５を配置する場合に比べ、表示装置１における表示面１６の横幅方向１７における寸法が小さく、表示装置１の省スペース化に貢献する。
【００１７】
副表示部材５は、基板（以下、サブ基板とする）５ａとランプ５ｂとランプ５ｂを収納する収納部（以下、ランプケースとする）５ｃとを有するウォーニングランプ及びシフトインジケータであり、光源であるランプ５ｂはＬＥＤとする。副表示部材５は、３つのランプ５ｂで一つのユニットを構成し、本実施形態においては、３つのユニットを設けている。副表示部材５は、箱型形状であり、ランプ５ｂが取り付けられるサブ基板５ａを底部とし、ランプケース５ｃが側面となるように一つ一つのランプ５ｂを囲む。副表示部材５は、ランプケース５ｃとサブ基板５ａとをビス１８により接合し、副表示部材５全体が、主表示部材３，４の非表示領域１５上に配置されるように、ケース２の開口縁部７にビス１９によって接合される。ケース２に副表示部材５を接合することで、ＶＦＤ基板１１上あるいはメイン基板６上に副表示部材５を配設する必要がなく、立体的に主表示部材３，４上に副表示部材５を設けることが可能となり、表示装置１における横幅方向１７の寸法の小型化に貢献する。第一の主表示部材３の表示領域１４と第二の主表示部材４の表示領域１４との間に配置される副表示部材５は、一つのユニットが、第一の主表示部材３と第二の主表示部材４の非表示領域１５が各々対向する箇所において、各々の非表示領域１５上に重なるように配置される。副表示部材５は、サブ基板５aとメイン基板６とがそれぞれ電気的に接続されランプ５ｂの点灯が制御される。副表示部材５は、ランプ５ｂの点灯により、表示板９に印刷される表示意匠を照明し、方向指示，燃料切れ，ヘッドライトの上向き点灯状態等の警告表示やシフトレバーの位置表示等を運転者に行う。
【００１８】
たとえば、メイン基板６上に主表示部材３，４と副表示部材５とを並べて配設した場合には、表示面１６において表示領域１４と副表示部材５とが非表示領域１５の分だけ離れて配置され、表示領域１４と副表示部材５との間のスペースがデッドスペースとなるが、本発明の実施形態にあっては、表示装置１全体の表示面１６において主表示部材３，４の表示領域１４と副表示部材５の表示意匠とが近接して表示され、表示面１６のデッドスペースを最小限に抑え、表示面１６を無駄なく利用することができる。
【００１９】
メイン基板６は、硬質の樹脂材料等からなり、実装面には主表示部材３，４及び副表示部材５との電気接続用のコネクタ（図示しない）が実装されケース２に収納される。
【００２０】
見返し板８は、表示板９の表示意匠及び主表示部材３，４の表示領域１４に対応して複数の窓部８ａを備え、表示面１６における非表示領域１５を覆うとともに、外光が表示面１６へ入射するのを防ぐつば部８ｂを備えてなる。サブ基板５a，ランプケース５ｃ，見返し板８はケース２の開口縁部７でともにビス１９によって固定され、見返し板８上には表示板９が設けられる。
【００２１】
表示板９は、合成樹脂からなる平板部材であり、ケース２の前面に設けられる。表示板９には、透光性塗料を用いて方向指示，燃料切れ，ヘッドライトの上向き点灯状態等の表示意匠が印刷され、副表示部材５のランプ５ｂによって透過照明される。表示板９の表示意匠を除いた部分は、黒色系の不透光性塗料を用いて印刷され、表示意匠とのコントラストをなしている。表示板９は、主表示部材３，４上においては、長方形状で無色透明に、主表示部材３，４の表示領域１４が臨めるように印刷される。
【００２２】
前面カバー１０は、スモークガラスとされるアクリル樹脂等の透光性部材が用いられ、表示面１６前面に設けられる表示板９を覆うようにケース２の開口縁部７に対応して取り付けられる。
【００２３】
以上のような構成の表示装置は、情報量の増加、表示方法の多様化、表示装置の省スペース化に対応して、表示装置１全体における表示面１６の有効表示スペースを活用することを可能とする。
【００２４】
なお、本実施形態においては、非表示領域１５上に非表示領域１５と接触することなく重なるように配置される副表示部材５は、サブ基板５ａ及びランプケース５ｃであり、ランプ５ｂは第一の表示部材３及び第二の表示部材４との間隙上に位置するものであるが、副表示部材５のランプ５ｂを含む全てを非表示領域１５上に配置してもよく、ランプケース５ｃの一部を非表示領域１５上に重なるように配設するものであればよい。
【００２５】
また、本実施形態においては、長方形状の第一の表示部材３と第二の表示部材４とを横に近接配置したが、配置は任意に変更可能であり、第一の主表示部材３と第二の主表示部材４とを縦に二つ配置し、その間に副表示部材５を配置されるものであってもよく、主表示部材を複数設けてもよい。
【００２６】
また、本実施形態においては、主表示部材３，４は、蛍光表示管（ＶＦＤ）であったが、これに限るものではなく、電子式表示素子であれば任意であり、液晶や有機ＥＬによるものであってもよい。
【００２７】
また、本実施形態においては、副表示部材５は、ウォーニングランプ及びシフトインジゲータであったが、これに限るものではなく、表示情報は任意である。
【００２８】
また、本実施形態においては、ＶＦＤ基板１１とメイン基板６とを設けたが、一枚の基板によるものであってもよい。
【図面の簡単な説明】
【００２９】
【図１】本発明の実施形態における横方向の断面図。
【図２】同上実施形態における縦方向の断面図
【図３】同上実施形態における表示面及び主表示部材を示す図。
【符号の説明】
【００３０】
１  表示装置
３  第一の主表示部材（第一表示部材）
４  第二の主表示部材（第一表示部材）
５  副表示部材（第二表示部材）
５ａ  基板（サブ基板）
５ｂ  光源（ランプ）
５ｃ  収納部（ランプケース）
６  配線基板（メイン基板）
１４  表示領域
１５  非表示領域
【図１】
2005316066.tif 000003
【図２】
2005316066.tif 000004
【図３】
2005316066.tif 000005